(57)【要約】      （修正有）【課題】補強帯の支持力を高め安定した積み重ねができる段ボールケースを提供する。【解決手段】一枚の段ボールを、折り目に沿って折り曲げて組み立てられる段ボールケースであって、矩形の底面１の四辺に対向して左右側壁片２と前後側壁片３が設けられている。そして、左右側壁片２には前後側壁片３の前部に配置される内側壁片４が連設されるとともに積み重ねられた段ボールケースの前後方向の位置を規制するための凸片２ａが設けられている。また、前後側壁片３には前後側壁の上端に連設され上面から左右側壁片２に沿って補強される補強帯５が連設されている。左右側壁片２の長さは底面１の左右の長さより短くし、内側壁片４は左右側壁片から斜めに折れる斜折部４ａを備えるとともに、対向する内側壁片４同士を連結するための掛止溝を設けている。【選択図】図３
0003194255.tif 000002
【実用新案登録請求の範囲】
【請求項１】
一枚の段ボールに、矩形の底面の四辺に対向して左右側壁片と前後側壁片が連設され、該左右側壁片には前後側壁片の前部に配置される内側壁片が連設されるとともに積み重ねられた段ボールケースの前後方向の位置を規制するための凸片が設けられ、該前後側壁片には前後側壁の上端に連設され上面から左右側壁片に沿って巻回される補強帯が連設され、これを折り目に沿って折り曲げて組み立てられる段ボールケースにおいて、該左右側壁片の長さは底面１の左右の長さより短くし、該内側壁片は四隅において左右側壁片から前後側壁の前部へ斜めに配置される斜折部４ａを備えるとともに、該内側壁片の先端側に対向する内側壁片同士を連結するための掛止溝４ｂを設けたことを特徴とする段ボールケース。
【請求項２】
前記左右側壁片は、左右側壁の上端に前記凸片２ａを跨いでケース内側へ水平に折リ曲げられる補強片を設けたことを特徴とする請求項１記載の段ボールケース。
【考案の詳細な説明】
【技術分野】
【０００１】
本考案は野菜、果物等主として生鮮食品等を収納し、積み重ねができる段ボールケースに関するものである。
【背景技術】
【０００２】
従来、この種の段ボールケースは上面が開放され、生鮮食品等を収納して複数個積み重ねて保管したり、運搬を行っており、潰れたり、曲がったりしないように、一般に四隅の上端を補強している。
この補強の手段としては、上面の四隅に三角状の連結片を設けたり、前後側壁の上端に補強片を連設して上面側へ折り曲げて桟を形成した（特許文献１参照）ものが一般的である。
【０００３】
特許文献１の段ボールケース３００は、図７に示すように、底面１１から立設される左右側壁１２Ａに内側壁片１４を連設し、これを直角に折り曲げて側壁片１３を立ち上げ、側壁片１３に連設した補強帯１５を折り曲げて上面および側面を巻回し補強している。なお、１５ｃは左右側壁１２Ａの下端に設けた差込溝１２ｃに差し込まれる差込片である。
この段ボールケース３００は積み重ねたとき、上段の段ボールケース３００は上面の補強帯１５に載り、面で支持されるので、下段の段ボールケースへ落ち込んだり、荷崩れすることが防止される。なお、左右側壁１２Ａの上端中央には凸片１２ａが設けられており、段積みする際のズレや荷崩れを防止している。
【先行技術文献】
【特許文献】
【０００４】
【特許文献１】特開２００５-１５００９号
【考案の開示】
【考案が解決しようとする課題】
【０００５】
特許文献１の段ボールケース３００は、前後側壁片１３の上端に連設された補強帯１５が外れないように左右側壁１２Ａの端部に沿わせてその下端で固設し、積み重ねた段ボールケースは補強帯１５の幅で支持されるので、潰れが防止される。
しかしながら、この補強帯１５は、前後側壁片１３に連設され、左右側壁１２Ａの上端に支持されているだけなので、積み重ねる段ボールケースの重量が大きい場合には、複数個重ねると下の方では補強帯１５の撓みが大きくなり、傾くことがある。
【０００６】
そこで本考案は補強帯の支持力を高め、安定した積み重ねができる段ボールケースを提供することを目的としている。
【課題を解決するための手段】
【０００７】
上記の目的を達成するため、本考案の段ボールケースは、次のように構成した。すなわち、一枚の段ボールに、矩形の底面の四辺に対向して左右側壁片と前後側壁片が連設され、該左右側壁片には前後側壁片の前部に配置される内側壁片が連設されるとともに積み重ねられた段ボールケースの前後方向の位置を規制するための凸片が設けられ、該前後側壁片には前後側壁の上端に連設され上面から左右側壁片に沿って巻回される補強帯が連設され、これを折り目に沿って折り曲げて組み立てられる段ボールケースにおいて、該左右側壁片の長さは底面１の左右の長さより短くし、該内側壁片は四隅において左右側壁片から前後側壁の前部へ斜めに配置される斜折部４ａを備えるとともに、該内側壁片の先端側に対向する内側壁片同士を連結するための掛止溝４ｂを設けたことを特徴としている。
【０００８】
この段ボールケースは、従来の段ボールケース（例えば、特許文献１）を安定した積み重ねができるように改良したもので、特に四隅の上端部の補強帯の支持力が大きくなるように構成したものである。
すなわち、この考案では、四隅の上端部の補強帯は、前後側壁片の内側に配置された斜折部４ａによって支持されるので、支持力が大きくなった。
ケースの四隅に斜めの壁を形成する斜折部４ａは、寸法を特に制限しないが、隅部を４５度にカットするように配置するのが望ましい。
さらに、積み重ねの支持力を高める手段として、請求項２に記載のように、左右側壁片は、左右側壁の上端に前記凸片２ａを跨いでケース内側へ水平に折リ曲げられる補強片を設けて左右側壁片でも重量を負担するように構成するとよい。
【考案の効果】
【０００９】
本考案の段ボールケースは、底面の四辺に連設された左右側壁片には前後側壁片の前部に配置される内側壁片が連設されるとともに積み重ねられた段ボールケースの前後方向の位置を規制するための凸片が設けられ、前後側壁片には上端に左右側壁片に沿って巻回される補強帯が連設され、該左右側壁片の長さは底面１の左右の長さより短くし、該内側壁片は四隅において左右側壁片から前後側壁の前部へ斜めに配置される斜折部４ａを備えるとともに、該内側壁片の先端側に対向する内側壁片同士を連結するための掛止溝４ｂを設けたので、積み重ね時の補強帯にかかる荷重は、大半が内側壁片で支持され、しかも、内側壁片は互いに固く連結されているので、段ボールケースの積み重ねが安定したものとなる。
また、請求項２に記載のように、前記左右側壁片は、左右側壁の上端に前記凸片２ａを跨いでケース内側へ水平に折リ曲げられる補強片を設ければ、積み重ねた段ボールケースは左右側壁でも分担支持するので、より安定した積み重ねができる。
【図面の簡単な説明】
【００１０】
【図１】請求項１の考案の実施の形態を示す全体斜視図である。
【図２】同、段ボールケース２００の展開図で、段ボール１００である。
【図３】同、段ボールケース２００の組立て途中の状態を示す斜視図である。
【図４】同、段ボールケース２００を積み重ねた状態を示す斜視図である。
【図５】請求項２の考案の実施の形態を示す全体斜視図である。
【図６】同、段ボールケース２１０の展開図で、段ボール１１０である。
【図７】従来の段ボールケース３００を示す組立途中の斜視図である。
【考案を実施するための最良の形態】
【００１１】
本考案（請求項１）の段ボールケースの実施の形態を、図１〜図４に基づいて説明する。
図１は段ボールケース２００の斜視図である。図２は、段ボールケース２００の展開図で、段ボール１００である。図３は、段ボール１００を段ボールケース２００へ組み立てる途中の状態を示す斜視図で、図４は段ボールケース２００を積み重ねた状態を示す斜視図である。
【００１２】
段ボールケース２００は、図１に示すように、底面１の四方に左右側壁２Ａと前後側壁３Ａとが立設されて上面が開放された直方体に形成され、前後側壁３Ａの上端に一部上面を覆う補強帯５が連設されている。  この補強帯５は、前後側壁３Ａから内側へ折り曲げて段ボールケースの前後側壁３Ａ寄りの上面を覆い、さらに側面左右側壁２Ａへ沿って巻回して取り付けられている。
【００１３】
左右側壁２Ａの左右の方向の両端には、前後側壁３Ａの内側へ折れ曲がって設けられる内側壁片４が連設され、前後側壁３Ａの中央で対向する内側壁片４同士を連結している（図３参照）。また、左右側壁２Ａの上端中央には、段ボールケース２００を積み重ねたときに前後方向の位置を外側から規制する凸片２ａが設けられている。
なお、段ボールケース２００の大きさは、ここでは、３１０ｍｍ×５００ｍｍ×１７０ｍｍとしており、補強帯５の幅は１００ｍｍ（上面の中央部は４０ｍｍにカット）としている。
【００１４】
この段ボールケース２００は、図２に示した一枚の段ボール１００を、折り目に沿って折り曲げることによって、組み上げられる。
【００１５】
段ボール１００は、ほぼ中央に形成された矩形の底面１と、主折り目Ａを介して連設された前後一対の左右側壁片２と、主折り目Ｂを介して連設された前後一対の前後側壁片３とからなり、左右側壁片２には折り目Ｅを介して内側壁片４が、側壁片３には折り目Ｄを介して補強帯５が連設されている。
ここで、折り目Ｅは、底面１の左右端の主折り目Ｂの延長線上ではなく、これより内側（中央寄り）に設けられている。そして、内側壁片４には、折り目Ｅと平行に設けた折り目Ｆを介して、斜折部４ａが設けられている。また、内側壁片４の先端側（側壁片２の反対側）には内側壁片４同士を連結するための掛止溝４ｂが設けられている。
なお、左右側壁片２には、上端中央に凸片２ａ、左右端に突片２ｂが設けられ、左右の下端に差込溝２ｃが設けられている。
【００１６】
前後側壁片３は、主折り目Ｂとこれと平行な折り目Ｄと、直角方向の切れ目ａとで矩形状に区画されたもので、前後側壁片３に連設される補強帯５は、前後側壁片３の長さより長く、折り目Ｇによって、上面補強部５ａと側面補強部５ｂに区画される。
上面補強部５ａは中央部に切欠部５ｅが形成され、折り目Ｇ上には、左右側壁片２の突片２ｂが係止する掛止溝５ｄが設けられている。また、側面補強部５ｂには左右側壁片２の差込溝２ｃに係止する差込片５ｃが付設されている。
【００１７】
次に、上記のように構成された段ボール１００を、段ボールケース２００へ折り上げる手順について説明する。
底面１を囲むようにして、左右側壁片２、２と前後側壁片３、３をそれぞれ主折り目Ａ、Ｂの位置から起立させるが、先ず、左右側壁片２、２を主折り目Ａの位置から底面１に対して直角に起立させ、次に、折り目Ｅと折り目Ｆから内側へ折り曲げ、上下の内側壁片４の掛止溝４ｂ同士を噛み合わせる。これにより、底面１の四方に左右側壁片２と内側壁片４で繋がった壁が立設され、四隅においては、内側壁片４の斜折部４ａが斜めに傾斜した状態で配置されている（図３参照）。
【００１８】
次いで、前後側壁片３を主折り目Ｂの位置から起立させ、折り目Ｄから内側へ曲げて水平にする。このとき、左右側壁片２の突片２ｂが掛止溝５ｄに差し込まれるようにする。
次に、折り目Ｇからそれぞれ下へ折り曲げ左右側壁片２の左右端に沿わせ、下端の差込片５ｃを差込溝２ｃへ外側から差し込んで固定する。以上の作業で、段ボールケース２００は組み上がる。
【００１９】
図４は、段ボールケース２００を積み重ねた状態を示すもので、上段の段ボールケース２００は、下の段ボールケース２００の左右の補強帯５の上に載置され、補強帯５は、四隅において斜めに配置された斜折部４ａによって支持されているので、重量があっても凹むようなこともなく安定して載置される。また、上段の段ボールケース２００は、左右側壁２Ａの凸片２ａの内側へ嵌入し、前後方向の位置が規制され、複数個積み重ねても所定の位置に載置されるので、偏荷重がかからない。
【００２０】
次に本考案の別の実施の形態（請求項２）について、図５および図６に基づいて説明する。
図５は、この実施の形態の段ボールケース２１０の全体を示す斜視図で、図６は、段ボールケース２１０の展開図で段ボール１１０である。
【００２１】
段ボールケース２１０は、上記の段ボールケース２００とほとんど同じ構成を備えている。相違する点は、段ボールケース２１０には左右側壁２Ａの上端に内側へ折り曲げられた補強片６が付設されていることである。
この補強片６は左右側壁片２の上端に折り目Ｈで区画され、凸片２ａを跨いで形成されている。
組立は、左右側壁片２を立設するときに折り目Ｈから折り曲げて形成するだけである。
このように構成されているので、段ボールケース２１０を積み重ねると、上段の段ボールケース２１０は、上記と同様に補強帯５に支持されるとともに、左右側壁２Ａの上端の補強片６でも分担して支持されるので、より安定した積み重ねができる。
【００２２】
なお、上記の実施の形態においては、発明の内容をより理解しやすくするために、段ボールケース２００の大きさを寸法を示して説明したが、これに限定するものでないことは当然である。
【符号の説明】
【００２３】
１００  段ボール
１１０  段ボール
２００  段ボールケース
２１０  段ボールケース
３００  段ボールケース
１  底面
２Ａ  左右側壁
２  左右側壁片
２ａ  凸片
２ｂ  突片
３Ａ  前後側壁
３  前後側壁片
４  内側壁片
４ａ  斜折部
４ｂ  掛止溝
５  補強帯
５ａ  上面補強部
５ｂ  側面補強部
５ｃ  差込片
５ｄ  係止溝
５ｅ  切欠部
６  補強片
１１  底面
１２Ａ  左右側壁
１２    左右側壁片
１２ａ  凸片
１２ｃ  差込溝
１３  前後側壁片
１４  内側壁片
１５  補強帯
１５ｃ  差込片
Ａ、Ｂ  主折り目
Ｄ、Ｅ  折り目
Ｆ、Ｇ  折り目 
Ｈ  折り目
ａ、ｂ、ｄ  切れ目
【図１】
0003194255.tif 000003
【図２】
0003194255.tif 000004
【図３】
0003194255.tif 000005
【図４】
0003194255.tif 000006
【図５】
0003194255.tif 000007
【図６】
0003194255.tif 000008
【図７】
0003194255.tif 000009